Podtech/llm-jp-corpus-v4-ja_patent huggingface dataset:
(57)【要約】【課題】  剥離された用紙の先端部分のカールが大きい場合やドラムからの用紙剥離が不充分な場合の用紙自身の搬送速度による前方からの風圧を受けて用紙先端部がめくれ上がりやすくなることを防止すること。【解決手段】  感光体上に形成されたトナー像を用紙に転写させる転写手段と、前記転写手段に対し用紙搬送方向下流側に設けられ、前記トナー像が転写された用紙を前記感光体表面から剥離させる剥離手段と、前記剥離手段による感光体からの用紙の剥離に協働するエアーダクトと、前記感光体表面から剥離された用紙を搬送する搬送手段とを備えた電子写真装置において、前記エアーダクトのエアー吐出部を上下に分割し、上部側はエアーを前記感光体側に吐出する形状とし、下部側はエアーを用紙搬送側に吐出する形状とした。【選択図】  図１
2006018074.tif 000002
【特許請求の範囲】
【請求項１】
感光体上に形成されたトナー像を用紙に転写させる転写手段と、
前記転写手段に対し用紙搬送方向下流側に設けられ、前記トナー像が転写された用紙を前記感光体表面から剥離させる剥離手段と、
前記剥離手段による感光体からの用紙の剥離に協働するエアーダクトと、
前記感光体表面から剥離された用紙を搬送する搬送手段とを備えた電子写真装置において、
前記エアーダクトのエアー吐出部を上下に分割し、上部側はエアーを前記感光体側に吐出する形状とし、下部側はエアーを用紙搬送側に吐出する形状としたことを特徴とする電子写真装置。
【発明の詳細な説明】
【技術分野】
【０００１】
本発明は、電子写真装置に関するものであり、特に感光体表面に静電吸着された用紙を良好に剥離させる電子写真装置に関するものである。
【背景技術】
【０００２】
従来の感光体ドラム上のトナー潜像を用紙に転写させる転写手段と転写後感光体ドラムから用紙を剥離させる剥離手段とを持つ電子写真装置において、感光体ドラムからの用紙剥離は剥離手段での除電による感光体ドラムからの用紙剥離と除電だけではうまく剥離できない場合に備えて感光体ドラム近傍からエアーを噴出して用紙剥離の補助を行なっている。
【０００３】
図２は従来の電子写真装置の転写、剥離手段の断面を表す図である。図２では感光体ドラム１のトナー像は上流側から搬送されてきた用紙２０へ転写手段２で転写された後、剥離手段３により用紙２０と感光体ドラム１を吸着させている静電気を中和して、用紙２０を感光体ドラム１から剥離する。静電気の中和が十分でない場合または用紙２０の感光体ドラム１側へのカールが大きい場合、用紙２０は感光体ドラム１側に用紙２０の先端部が持ちあがる。ファン１０、ダクト１１からの剥離補助用のエアー２１は感光体ドラム１近傍から用紙２０の先端に送り込まれて用紙２０の先端部のめくれ上がりを防止している（例えば、特許文献１参照）。
【０００４】
しかしながら、剥離された用紙２０の先端部分のカールが大きい場合や感光体ドラム１からの用紙剥離が不充分な場合、用紙２０自身の搬送速度により前方から風圧を受けるため先端部がめくれ上がりやすくなる。用紙２０の先端部がめくれ上がるとダクト１１などの搬送部４の上部部材への接触や図示されない下流部の定着部への突入が安定せず用紙ジャムや用紙シワが発生するという問題がある。
【０００５】
【特許文献１】特開２０００−２３１２６９号公報
【発明の開示】
【発明が解決しようとする課題】
【０００６】
本発明は、用紙剥離及び剥離不十分時の用紙先端のめくれ上がりと用紙先端のカールによるめくれ上がりを防止し安定した用紙搬送を行なうことである。
【課題を解決するための手段】
【０００７】
上記課題は、感光体上に形成されたトナー像を用紙に転写させる転写手段と、前記転写手段に対し用紙搬送方向下流側に設けられ、前記トナー像が転写された用紙を前記感光体表面から剥離させる剥離手段と、前記剥離手段による感光体からの用紙の剥離に協働するエアーダクトと、前記感光体表面から剥離された用紙を搬送する搬送手段とを備えた電子写真装置において、前記エアーダクトのエアー吐出部を上下に分割し、上部側はエアーを前記感光体側に吐出する形状とし、下部側はエアーを用紙搬送側に吐出する形状とすることにより達成される。
【発明の効果】
【０００８】
本発明によれば、静電剥離だけでは正常に剥離できない場合には、用紙の剥離に協働するエアーダクトのエアー吐出部の形状を工夫し、用紙剥離及び剥離不十分時の用紙先端のめくれ上がりと用紙先端のカールによるめくれ上がりを同時に防止するエアーの流れを形成することで安定した用紙搬送を行なうことができる。
【発明を実施するための最良の形態】
【０００９】
以下、図１を用いて説明する。図１において感光体ドラム１のトナー像は上流側から搬送されてきた用紙２０へ転写手段２で転写された後、剥離手段３により用紙２０と感光体ドラム１を吸着させている静電気を中和して用紙２０を感光体ドラム１から剥離する。このとき用紙２０の静電剥離が正常に剥離されなかった場合は感光体ドラム１側に巻きつくように用紙２０の先端部がめくれ上がる。また、用紙２０の先端部のカールが大きい場合も同様に感光体ドラム１側に用紙２０の先端部がめくれ上がる。剥離補助用のエアー２１はファン１０から吐出されダクト１１のエアー分離板１２の上部を経て感光体ドラム１と用紙２０との隙間へ吹付けられ、感光体ドラム１からの用紙２０の用紙剥離を補助する。剥離された用紙２０は剥離が不充分な場合や先端部のカールが大きい場合用紙２０自身の用紙搬送速度により前方から風圧を受けるため先端部分がめくれ上がろうとする。ダクト１１のエアー吐出部の下部側から吐出される用紙抑え用エアー２２はエアー分離板１２の先端形状が搬送部４側にエアーが吐出されるような形状であるため用紙２０を上方から搬送手段４側に押しつける方向でエアーが吐出され、用紙２０は搬送経路の上部に接触することなく搬送手段４により下流側へ搬送される。
【図面の簡単な説明】
【００１０】
【図１】本発明の電子写真装置の転写、剥離手段の断面を表す図である。
【図２】従来の電子写真装置の転写、剥離手段の断面を表す図である。
【符号の説明】
【００１１】
１は感光体ドラム、２は転写手段、３は剥離手段、４は搬送手段、１０はファン、１１はダクト、１２はエアー分離板、２０は用紙、２１は剥離補助用エアー、２２は抑え用エアーである。
【図１】
2006018074.tif 000003
【図２】
2006018074.tif 000004
(57)【要約】【課題】  光学素子の出し入れにより、第一の解像度と第二の解像度の切替を行なう光走査装置において、解像度の切替に伴なう感光体への光走査位置の変化を無くし、またビーム書込み位置及びビーム径を所定の値に合わせ印刷品質の向上を図ることである。【解決手段】  光源と、偏向手段と、前記光源及び前記偏向手段間の光路に対し出し入れ可能な光学素子を設け、前記光学素子の出し入れにより第一の解像度と第二の解像度の切替を行う光走査装置において、前記光学素子の前後における光軸位置を調整できるように、前記光走査装置の光軸に対する傾き調整機構を備え、前記光学素子が前記光源及び前記偏向手段間に有る場合と無い場合における光走査位置ずれが発生しないようにした。【選択図】  図３
2006018076.tif 000002
【特許請求の範囲】
【請求項１】
光源と、
偏向手段と、
前記光源及び前記偏向手段間の光路に対し出し入れ可能な光学素子を設け、
前記光学素子の出し入れにより第一の解像度と第二の解像度の切替を行う光走査装置において、
前記光学素子の前後における光軸位置を調整できるように、前記光走査装置の光軸に対する傾き調整機構を備え、前記光学素子が前記光源及び前記偏向手段間に有る場合と無い場合における光走査位置ずれが発生しないようにしたことを特徴とする光走査装置。
【請求項２】
前記光学素子は複数のレンズにより構成され、前記光学素子内にビーム書込み位置の調整機構を備えたことを特徴とする請求項１記載の光走査装置。
【請求項３】
前記光学素子は複数のレンズにより構成され、前記光学素子内にビーム径の調整機構を備えたことを特徴とする請求項１記載の光走査装置。
【発明の詳細な説明】
【技術分野】
【０００１】
本発明は、レーザビームプリンタや複写機等に使用される光走査装置に関するものである。
【背景技術】
【０００２】
図２に従来の光走査装置の光学素子の調整機構を示す。図２において光学素子９内のシリンダレンズ１０及びシリンダレンズ１１をホルダ１５に対し直接固定し、ホルダ１５のホルダベース１２に対する光軸中心１７に対する回転にて走査間隔の調整を行なっていた。
【０００３】
しかし、近年の電子写真装置の高精細化に伴ない、シリンダレンズ１０及びシリンダレンズ１１の取付け精度により、前記光学素子９の出し入れにて感光体８へのレーザ走査位置が変化すること及び解像度切替を行なったときのビーム書込み位置及びビーム径の適正化が課題となっていた。
【発明の開示】
【発明が解決しようとする課題】
【０００４】
光学素子の出し入れにより、第一の解像度と第二の解像度の切替を行なう光走査装置において、解像度の切替に伴なう感光体への光走査位置の変化を無くし、ビーム書込み位置及びビーム径を解像度に応じた値に合わせ印刷品質の向上を図ることである。
【課題を解決するための手段】
【０００５】
上記課題を解決するため、下記手段を発明した。
（１）光源と、偏向手段と、前記光源及び前記偏向手段間の光路に対し出し入れ可能な光学素子を設け、前記光学素子の出し入れにより第一の解像度と第二の解像度の切替を行う光走査装置において、前記光学素子の前後における光軸位置を調整できるように、前記光走査装置の光軸に対する傾き調整機構を備え、前記光学素子が前記光源及び前記偏向手段間に有る場合と無い場合における光走査位置ずれが発生しないようにしたことを特徴とする光走査装置。
（２）前記光学素子は複数のレンズにより構成され、前記光学素子内にビーム書込み位置の調整機構を備えたことを特徴とする請求項１記載の光走査装置。
（３）前記光学素子は複数のレンズにより構成され、前記光学素子内にビーム径の調整機構を備えたことを特徴とする請求項１記載の光走査装置。
【発明の効果】
【０００６】
本発明の光走査装置は、解像度切替に伴なう感光体への光走査位置の変化を無くし、また、目的の解像度に応じたビーム書込み位置及びビーム径による光走査が可能となる。
【発明を実施するための最良の形態】
【０００７】
印刷解像度の切替時に出し入れを行なう光学素子にビーム位置及びビーム径の調整機構を備えることにより、光走査装置全体の大きさを変えることなく感光体への光走査位置の変化を無くし、また目的の解像度に応じたビーム書込み位置及びビーム径への調整を可能とする光走査装置を実現した。
【実施例１】
【０００８】
以下、図面を参照して本発明を説明する。図１は光走査装置全体の概略図である。
図１において、半導体レーザ１より照射された複数本のレーザ光２は、コリメータレンズ３により各々平行光にされた後、シリンダレンズ４及び球面レンズ５により所定のビーム形状に成形され、ポリゴンミラー６により、ｆθレンズ７に走査される。
【０００９】
ｆθレンズ７に走査された複数本のレーザ光２はｆθレンズ７内にて広がったあと、感光体８に走査される。このとき第一の解像度は、半導体レーザ１の取り付け角度を光軸中心に回転させることにより調整する。次に第二の解像度は、解像度切替用光学素子９をコリメータレンズ３とシリンダレンズ４の間に入れて前記光学素子９全体を光軸中心に回転させることにより調整する。
【００１０】
図３に本発明の光走査装置の光学素子の傾き調整機構を示す。まず、光学素子９内のシリンダレンズ１０をホルダ１４に対して光軸中心１７に回転方向及び光軸前後方向に移動可能なホルダ１３に取付ける。次いで、シリンダレンズ１１をホルダベース１２に対して光軸を中心とした回転方向に動かせるように取り付けられているホルダ１５に対して固定する。ホルダ１４はホルダ１５に対しホルダ回転軸１６を中心として回転できるように取付けられている。
【００１１】
これによりホルダ１３及びホルダ１４のホルダ１５に対する回転及び位置調整を行なうことにより、シリンダレンズ１０及びシリンダレンズ１１の取付け精度による感光体８へのビーム書込み位置及びビーム径の適正化などを行なえるようにした。
【産業上の利用可能性】
【００１２】
複数のレーザを使用した光走査装置を持つ電子写真装置において、解像度切替用の光学素子を、光走査装置の光軸に対して任意に回転させることにより、同一の光走査装置にて複数の解像度に対応させることが可能である。
【図面の簡単な説明】
【００１３】
【図１】光走査装置全体の概略図である。
【図２】従来の光走査装置の光学素子の調整機構を示した説明図である。
【図３】本発明の光走査装置の光学素子の傾き調整機構を示した説明図である。
【符号の説明】
【００１４】
１は半導体レーザ、２はレーザ光、３はコリメータレンズ、４はシリンダレンズ、５は球面レンズ、６はポリゴンミラー、７はｆθレンズ、８は感光体、９は光学素子、１０はシリンダレンズ、１１はシリンダレンズ、１２はホルダベース、１３，１４および１５はホルダ、１６はホルダ回転軸、１７は光学素子を通過する光軸中心線である。
【図１】
2006018076.tif 000003
【図２】
2006018076.tif 000004
【図３】
2006018076.tif 000005
(57)【要約】【課題】  電気的に本物と寸分違わぬ生ＩＣカードに、不正に入手した個人情報を書き込んで本人（本物）になりすます犯罪を防止できる技術の提供。【解決手段】  非接触ＩＣカード、タグまたはラベルのアンテナ６を、金属光沢を備えた導体からなるホログラム印刷層８の一部として設ける。仮に、ホログラム印刷層やホログラムシールを、非接触ＩＣカードのアンテナとしてでなく、カードの表面に貼付したり、他の層との間にラミネートした場合、ホログラム印刷層の中の金属箔がアンテナに干渉して電波を吸収、反射するので、単に外見を似せようとすると偽造が余計困難となる。【選択図】        図１
2006018475.tif 000002
【特許請求の範囲】
【請求項１】
金属光沢を備えた導体からなるアンテナを、ホログラム印刷層の一部として設けた非接触ＩＣカード、タグまたはラベル。
【発明の詳細な説明】
【技術分野】
【０００１】
本発明は非接触ＩＣカード、タグまたはラベルに関する。
【背景技術】
【０００２】
一般に、クレジットカードやキャッシュカード、身分証明書などには、容易に偽造されないように、顔写真やバーコード、磁気コードや磁気印刷、ＩＣチップやエンボス加工などが施されている。
【０００３】
図３に示すのはクレジットカードの一例である。クレジットカード１には、図示しない裏面に磁気トラックなどが設けられ、最近では中間層すなわち、カードの内部に非接触で情報を読み書きするＩＣチップとアンテナが内蔵されたものもある。
しかしながら、クレジットカードの使える全ての店舗や施設でカードの磁気情報やＩＣに書き込まれた情報にアクセスできる機器を備えているとは限らない。
そのため、カード１の表面には従来ながらのエンボス加工２や、ホログラム印刷（またはシール）３などが設けられている。
【０００４】
なお、非接触ＩＣラベル技術については特許文献１等を参照されたい。
【特許文献１】特開２００３−２４３９１８号公報
【発明の開示】
【発明が解決しようとする課題】
【０００５】
しかしながら、近年ではクレジットカードやキャッシュカード等の偽造が増加かつ巧妙化しており、電気的に本物と寸分違わぬ生ＩＣカードに、不正に入手した個人情報を書き込んで本人（本物）になりすまし、高額な詐欺を行うという事件も発生している。
【０００６】
本発明は、斯かる実情に鑑みなされたもので、外見を単に似せようとすると、却って非接触ＩＣへのアクセスが困難になる構造を設けることにより、偽造を防止することのできる非接触ＩＣカード、タグまたはラベルを提供することを目的とする。
【課題を解決するための手段】
【０００７】
上記課題を解決するため、本発明が採用する構成の特徴は、非接触ＩＣカード、タグまたはラベルのアンテナを、金属光沢を備えた導体からなるホログラム印刷層の一部として設けたことにある。
【発明の効果】
【０００８】
もし仮に、ホログラム印刷層やホログラムシールを、非接触ＩＣカードのアンテナとしてでなく、カードの表面に貼付したり、他の層との間にラミネートした場合、ホログラム印刷層の中の金属箔がアンテナに干渉して電波を吸収、反射するので非接触ＩＣへのアクセスが妨害される。即ち、単に外見を似せようとすると偽造が余計に困難となる。
【発明を実施するための最良の形態】
【０００９】
以下、本発明の実施の形態を図１及び図２に基づき説明する。
なお、図１と図２とは、アンテナの形式が違うものであって、共通する構成には同一符号を付して個別の説明は省略する。
【００１０】
図１および図２はそれぞれが実施の形態であって、表面層、中間層、裏面層からなる分解図である。
【００１１】
表面層４は透明で後述する中間層５を透過して見せるものであるのと共に、表面にエンボス文字１０が形成されている。
【００１２】
５は中間層であり、非接触ＩＣカードを構成する金属箔や金属蒸着膜からなるアンテナ６と、ＩＣチップ７とから大略構成されている。そして、前記アンテナ６は、ホログラム印刷層８の一部をも兼ねており、見る角度により色が変わったり、立体画像が現れたりする。
【００１３】
９は裏面層であり、前述の中間層５、表面層を支持して強度を保つ働きを有する。
【００１４】
次に、上記図示例の作動を説明すと、アンテナ６は外部の図示しないリーダライタからの電波を電磁誘導により受信して、ＩＣチップ７へ電力を供給し、情報の読込・書き込みを行う。また、ホログラム印刷層を備え、このホログラム印刷自体が有る程度製造が困難なものであるため、偽造防止効果を奏する。さらに、単に外観を似せる為に、アンテナ６とは無関係に別のホログラムシールや印刷層を設けた場合には、そのホログラム印刷層の中の金属箔がアンテナに干渉して電波を吸収、反射するので非接触ＩＣへのアクセスが妨害される。即ち、単に外見を似せようとすると、非接触ＩＣカードの偽造が余計に困難となる。
【００１５】
こうして、セキュリティが保たれる。
【００１６】
尚、本発明の実施の形態は、上述の図示例にのみ限定されるものではなく、本発明の要旨を逸脱しない範囲内において種々変更を加え得ることは勿論である。
【産業上の利用可能性】
【００１７】
本発明は、外観と非接触ＩＣカードの双方から偽造を防止するもので、クレジットカードや身分証明書などの非接触ＩＣカード、非接触ＩＣタグ、非接触ＩＣラベルとして利用が可能である。
【図面の簡単な説明】
【００１８】
【図１】本発明の好ましい実施の形態を示す説明図。
【図２】本発明の、図１とは別の好ましい実施の形態を示す、説明図。
【図３】従来公知のクレジットカードの説明図。
【符号の説明】
【００１９】
４…表面層、５…中間層、６…アンテナ、７…ＩＣチップ、８…ホログラム印刷層、９…裏面層
【図１】
2006018475.tif 000003
【図２】
2006018475.tif 000004
【図３】
2006018475.tif 000005
(57)【要約】【課題】よさこい踊り、に使用される鳴子板に関するもので、従来の鳴子板は、踊りながら、両手に持った鳴子板を振る事により、その板の両面に付いている拍子木が交互に板をたたき、リズム感のある音を発生して盛り上がりのあるパレードを行ってきた。  しかし、夕刻や夜間では、音の発生だけでは、盛り上がりに乏しく、視覚的に昼間より格段に劣る演出となっている。  鳴子板に照明を付けて、演出効果を上げる方法が良いのだが、そのような鳴子板が市場に全く無いのが現状である。【解決手段】本発明になる照明手段付き鳴子板、あるいは鳴子板補助具は、電池あるいは、化学的な溶液混合により発光する照明手段を設けたもので、夕刻あるいは夜間では、拍子木による音と共に、鳴子板に付いた照明手段による光りが乱舞して、音の発生と共に光りを伴った視覚的に演出効果の高い、パレードとなるようにしたものである。【選択図】図３
2006018209.tif 000002
【特許請求の範囲】
【請求項１】
把手を有する板本体と板に設けられた拍子木部よりなる任意の鳴子板の上部あるいは側部に、電池、溶液混合発光体等の照明手段を設けた照明手段付き鳴子板。
【請求項２】
任意の鳴子板の前部、あるいは背面に、拍子木の動作に支障をきたさないように、任意の取付け手段で固定される補助板と、補助板に設けられた任意の照明手段とよりなる鳴子板補助具。
【発明の詳細な説明】
【技術分野】
【０００１】  本発明は、よさこい踊りに使用される鳴子板に、照明装置を取り付けた、鳴子板に関するものである。
【背景技術】
【０００２】  従来、よさこい踊りに使用される鳴子板に照明装置を取り付けたものは，何処にもなく、夕刻、夜間には、鳴子板による、音だけが発生するような、よさこい踊りの状態であった。
【発明の開示】
【発明が解決しようとする課題】
【０００３】（イ）鳴子板に照明装置を取り付けたものは，市場には見られ無い。
（ロ）夜間のパレードでは、視覚的に昼間より格段に劣る演出となっている。
本発明は、これらの問題点を解決するためになされたものである。
【課題を解決するための手段】
【０００４】  鳴子板の把手を有する板本体と、板に設けられた拍子木部よりなる任意の鳴子板の上部あるいは側部に、電池、溶液混合発光体等の任意の照明手段を設けた照明手段付き鳴子板。
又は任意の鳴子板の前部、あるいは背面に、拍子木の動作に支障をきたさないように、任意の取付け手段で固定される補助板と、補助板に設けられた任意の照明手段とよりなる、鳴子板補助具である。
【発明の効果】
【０００５】  夕刻あるいは夜間のパレードでは、拍子木による音の発生と共に、鳴子板に付いている照明装置が光り乱舞し、視覚的に格段と演出効果が向上する。
又、補助具においては任意の鳴子板を利用して同様の効果を得る事が出来る。
【発明を実施するための最良の形態】
【０００６】  以下、本発明の第一実施の形態について説明する。
（イ）補助具の基板（１）は、鳴子板本体（２）と外形が同形状で中央に拍子木（３）の動作に支障をきたさないような形で開口部が設けられている。
上部には照明部（６）が装着されており、操作部は中央から下部に、電池ケース（４）電池（５）スイッチ（７）が装着されている。スイッチ（７）は継続的な状態のＯＮ，ＯＦＦと一時的な状態のＯＮ，ＯＦＦに選択出来る。操作部品は基板（１）の裏面の配線（８）で接続されている。
（ロ）照明部（６）は中央の拡散部（１１）と拡散部両端に設けられた照射機構部（１２）とにより構成されている。
拡散部（１１）は透明筒の中に拡散剤を含む充填物を充填したものである。充填物としては固形、液状を問わない。
照射機構部（１２）は図２に示すように、光を拡散部（１１）方向に照射するように発光体（１０）をカバー（９）で覆ったものである。
本発明の第一実施は以上のような構成で、これを使用するときは、図３に示すように、鳴子板本体（２）に、この補助具をネジや両面テープ、接着剤等従来用いられている任意の取付け手段で取付け、使用時にスイッチ（７）を押せば、発光体（１０）が発光し、拡散部（１１）が拡散発光する。【０００７】  以下、本発明の第二実施の形態について説明する。
（イ）本発明は図４に示すように、鳴子板本体（２）に照明機構を設けたものである。拍子木（３）を有する鳴子板本体（２）の上部に管状の溶液混合発光体（１３）が任意の部分に任意の形状で、支持具ａ（１４）により固定される。
溶液混合発光体（１３）は図５に示すように、外管（１６）と内管（１７）で構成されており、内管（１７）の外周にはＡ液（１８）が密封状態で充填されており、内部にはＢ液（１９）が密封状態で充填されている。
外管（１６）は弾力性のある透明な物質で作られており、内管（１７）は曲げると破損しやすい透明な物質で作られている。Ａ液（１８）とＢ液（１９）は単独では安定した状態を保っているが、両液が混合すると化学反応により光を発生するような液体が充填されている。
支持具ａ（１４）は溶液混合発光体（１３）を任意の形状にして両端を支持する。あるいは任意の個所を任意に支持して使用時には脱落せずに、取付けは簡単に行えるようにする。
本発明の第二実施は以上のような構成で、これを使用するときは溶液混合発光体（１３）を、端から順に軽く折り曲げて、内管（１７）を破損すると中のＢ液（１８）が外管（１６）のＡ液（１８）と混合して化学反応をおこし、光りを発生するのでこれを、任意の形状にして、鳴子板本体（２）の支持具ａ（１４）に取付ける。
尚、溶液混合発光体（１３）の取付けに関しては、様様な形態が可能である。その一つが図７であり、溶液混合発光体（１３）の中央部を支持具ｂ（１５）により支持した形態となっている。
【図面の簡単な説明】
【０００８】
【図１】  本発明の、補助具の、一部を切り欠いた、斜視図
【図２】  本発明の、照明部分の部品構成を示し、一部を切り欠いた、斜視図
【図３】  本発明の、照明装置付き鳴子板の、斜視図
【図４】  本発明の、溶液混合発光体を鳴子板の支持具ａに取付けた、斜視図
【図５】  本発明の、溶液混合発光体を切断し、一部を切り欠いた、斜視図
【図６】  本発明の、溶液混合発光体の図６のＡ−Ａ断面図
【図７】  本発明の、溶液混合発光体を鳴子板の支持具ｂに取付けた上部の、斜視図
【符号の説明】
【０００９】  １  基板
２  鳴子板本体
３  拍子木
４  電池ケース
５  電池
６  照明部
７  スイッチ
８  配線
９  カバー
１０  発光体
１１  拡散部
１２  照射機構部
１３  溶液混合発光体
１４  支持具ａ
１５  支持具ｂ
１６  外管
１７  内管
１８  Ａ液
１９  Ｂ液
【図１】
2006018209.tif 000003
【図２】
2006018209.tif 000004
【図３】
2006018209.tif 000005
【図４】
2006018209.tif 000006
【図５】
2006018209.tif 000007
【図６】
2006018209.tif 000008
【図７】
2006018209.tif 000009
(57)【要約】【課題】公衆回線を介して外部に通達可能な赤外線式人体検知センサが誤発報なく報知し、更に侵入者を威嚇し、且つ住人へは利便性を提供すること。【解決手段】電話機子機筐体内に赤外線式人体検知センサを内蔵するとともに近赤外リモコン送信機能を付加し、既設の家電品を制御することにより侵入者に対する侵入前、後での威嚇を実施し、更に侵入者を検知した場合に着信音を鳴らし住人との選別を図ること。【特許請求の範囲】
【請求項１】
親機を介して外部公衆回線と接続されると当時に、親機-子機間、子機間で相互に接続された子機を少なくとも一台以上有し、子機筐体内に赤外線式人体検知センサを内蔵するとともに、警戒モード設定、解除機能を有し、警戒モード設定時はその検知信号を外部、親機又は子機間の少なくとも一カ所以上へ任意に設定し、通報可能とした事を特徴とした親子電話機。
【請求項２】
プリセット式、又は学習式近赤外リモコン送信機能を内蔵し、既設の照明器具、AV機器及び空調機器において近赤外リモコン受光機能を有する機器を内蔵の赤外線式人体検知センサ及び公衆回線を介した外部からの指示の少なくともいずれかの手段においても制御可能とした事を特徴とする請求項１記載の装置。
【請求項３】
警戒モード設定時においては、赤外線式人体検知センサ検知時より所定時間内は通常着信音を鳴らし所定時間内に応答なき場合、外部へ通報する事を特徴とした請求項１記載の装置。
【請求項４】
警戒モード設定時においては、赤外線式人体検知センサ検知時より通常着信音を鳴らし応答があった場合に警戒モードを解除する旨、案内をする事を特徴とした請求項１及び３記載の装置。
【請求項５】
内蔵の赤外線式人体検知センサが、所定時間非検知が継続した場合に通常着信音を鳴らし所定時間内に応答なき場合、外部へ通報する事を特徴とした請求項１記載の装置。
【請求項６】
警戒モード設定時において、発信番号非通知の着信があった場合、内蔵の近赤外線リモコン送信機能により既設の照明器具、AV機器及び空調機器の少なくともいずれかを作動させる事を特徴とした請求項１及び２記載の装置。
【請求項７】
外部を照らす為の光源を内蔵し、赤外線式人体検知センサの検知又は着信時の少なくともいずれかに同期し点灯する事を特徴とした請求項１記載の装置。
【発明の詳細な説明】
【発明の開示】
【発明が解決しようとする課題】
【０００１】
公衆回線を介して外部に通達可能な赤外線式人体検知センサが誤発報なく報知し、更に侵入者を威嚇し、且つ住人へは利便性を提供すること。
【課題を解決するための手段】
【０００２】
第１項記載の発明は、親機を介して外部公衆回線と接続されると当時に、親機-子機間、子機間で相互に接続された子機を少なくとも一台以上有し、子機筐体内に赤外線式人体検知センサを内蔵するとともに、警戒モード設定、解除機能を有し、警戒モード設定時はその検知信号を外部、親機又は子機間の少なくとも一カ所以上へ任意に設定し、通報可能とした事を特徴とする。
【０００３】
第２項記載の発明は、プリセット式、又は学習式近赤外リモコン送信機能を内蔵し、既設の照明器具、AV機器及び空調機器において近赤外リモコン受光機能を有する機器を内蔵の赤外線式人体検知センサ及び公衆回線を介した外部からの指示の少なくともいずれかの手段においても制御可能とした事を特徴とする。
【０００４】
第３項記載の発明は、警戒モード設定時においては、赤外線式人体検知センサ検知時より所定時間内は通常着信音を鳴らし所定時間内に応答なき場合、外部へ通報する事を特徴とする。
【０００５】
第４項記載の発明は、警戒モード設定時においては、赤外線式人体検知センサ検知時より通常着信音を鳴らし応答があった場合に警戒モードを解除する旨、案内をする事を特徴とする。
【０００６】
第５項記載の発明は、内蔵の赤外線式人体検知センサが、所定時間非検知が継続した場合に通常着信音を鳴らし所定時間内に応答なき場合、外部へ通報する事を特徴とする。
【０００７】
第６項記載の発明は、警戒モード設定時において、発信番号非通知の着信があった場合、内蔵の近赤外線リモコン送信機能により既設の照明器具、AV機器及び空調機器の少なくともいずれかを作動させる事を特徴とする。
【０００８】
第７項記載の発明は、外部を照らす為の光源を内蔵し、赤外線式人体検知センサの検知又は着信時の少なくともいずれかに同期し点灯する事を特徴とする。
【発明の効果】
【０００９】
住居の防犯と安全、更に住人に対する利便性を容易に提供すると共に、従来問題であった外部に対する誤発報を少なくする効果がある。
【技術分野】
【００１０】
本発明は、防犯、安全を目的とした赤外線式人体検知センサを内蔵した子機を有する親子電話機に関する。
【背景技術】
【００１１】
赤外線式人体検知センサにより侵入者を検知し公衆回線を介して外部へ通報する装置は公知のものであるが、図１に示す通り、電話機と筐体を別に構成しているので利用者の負担が大きいものである。
更に善意の人間を検知し侵入者として誤発報する場合が多く使用上の問題がある。
【実施例】
【００１２】
この発明の一実施例を以下紹介する。
【００１３】
図２に示す通り、親子電話機の子機筐体内に３赤外線式人体検知センサを内蔵し、警戒モードに設定されており、検知エリア内で動く人体を検知すると１赤外LEDより送信し、あらかじめ設定した例えば図３の２照明器具を点灯させ、侵入者の威嚇のみならず警戒モードを解除し忘れた住人に対しては、その警告と利便性を提供できる。
【００１４】
次に図２の２スピーカーより通常着音を鳴らす。この時の非検知対象が住人であれば応答するので警戒モードを解除する旨案内し、非検知対象が侵入者であれば応答しないので所定時間応答がない前提で外部へ通報することにより、侵入者に対する発報の選択度を向上させることができる。
【００１５】
また警戒モード設定時において発信番号非通知の着信があった場合、図２の１赤外LEDにより図３の１TVを作動させ、発信番号非通知の電話により住人の不在を確認し侵入する侵入者を未然に防ぐことができる。
【００１６】
警戒モード解除時、所定時間以上赤外線式人体検知センサの非検知が継続した場合も通常着信音を鳴らし住人に対し応答を求め、応答なき場合は侵入者ではなく病気など住人の異常として通報する。
【００１７】
また図２の７可視光LEDは、赤外線式人体検知センサの検知又は着信により点灯するので、住人に対する利便性と侵入者に対する威嚇を共有することができる。
【００１８】
【図面の簡単な説明】
【００１９】
【図１】従来の技術
【図２】実施例１
【図３】実施例２
【図１】
2006018778.tif 000002
【図２】
2006018778.tif 000003
【図３】
2006018778.tif 000004
(57)【要約】【課題】  劇場の座席の予約の状況やホテルの部屋の予約の状況を座席一つ一つ、部屋一つ一つの予約状況が分かるような、グラフィック化されたホームページの作成をどの様にするか。【解決手段】  サーバー上のプログラムを使用して、ホームページ上で、係りの人が、選択ボタンを押すことで、未予約の席、部屋には「空」、予約された席、部屋には「済み」の表示がされることで、状況を提供する。【選択図】        図１
2006018784.tif 000002
【特許請求の範囲】
【請求項１】
１．メーカーなどが、顧客や取引先に予約の状況を提供する場がない場合に、代わって顧客や取引先にインターネット上のホームページによって、予約の状況を提供する代行業務で。２．劇場の座席の予約の状況やホテルの部屋の予約の状況や場所の予約の状況を座席一つ一つ、部屋一つ一つ、場所一つ一つの予約状況が分かるように、出来るだけ、場所に似せたグラフイック化されたインターネット上の立体または平面の図が表示されるホームページによって、予約の状況を提供する以上の代行業務。
【請求項２】
１．未予約の席、部屋には「空」、予約された席、部屋には「済み」の表示の変換をする為の方法として、ファイルの中にデーターを書き込み、そのファイルの中の書き込みの内容を、一度、参照することにより、「空」または「済み」の表示の変換を行う、表示の変換方法。
【発明の詳細な説明】
【発明の詳細な説明】
【技術分野】
【０００１】  インターネットを使用したビジネスアイデアに属する。
【背景技術】
【０００２】  インターネットを使用した予約システムはよくある。
【発明が解決しようとする課題】
【０００３】  劇場の座席の予約の状況やホテルの部屋の予約の状況を座席一つ一つ、部屋一つ一つの予約状況が分かるような、グラフィック化されたホームページの作成をどの様にするか。
【課題を解決するための手段】
【０００４】  サーバー上のプログラムを使用して、＄ｃａｒ１０７＝“．／１０７．ｔｘｔ″；、Ｏｐｅｎ（ＩＮ，”＄ｃａｒ１０７”）；、ｆｌｏｃｋ（ＩＮ，２）；、＄ｆｆ＝＜ＩＮ＞；、ｆｌｏｃｋ（ＩＮ，８）；、Ｃｌｏｓｅ（ＩＮ）；、ｉｆ（＄ｕ１０７  ｎｅ“  ”）｛Ｏｐｅｎ（ｏｒｄｅｒ，  “＞＄ｃａｒ１０７”）；、ｆｌｏｃｋ（ｏｒｄｅｒ，２）；、Ｐｒｉｎｔ  ｏｒｄｅｒ  “●”；、ｆｌｏｃｋ（ｏｒｄｅｒ，８）；、Ｃｌｏｓｅ（ｏｒｄｅｒ）；、｝ｉｆ（＄ｆｆ  ｅｑ“  ”）｛＄ｈ１０７＝″空″；、＄ｈ１０７ｃｏｌｏｒ＝”ｗｈｉｔｅ″；、｝ｅｌｓｅ｛＄ｈ１０７＝″済″；、＄ｈ１０７ｃｏｌｏｒ＝”ｒｅｄ″；、｝というプログラムを組み。
【０００５】  “●”は、何でも良い。応用が利けば、尚良い。
【０００６】  ＄ｃａｒ１０７は、一つの座席に対応したファイルで、同じファイル名に成らなければ、区別して、幾つもの座席を管理できる。
【０００７】  ホームページ上で、係りの人が、手動で、選択ボタンを押すことで、＄ｃａｒ１０７というファイルが製作され、＄ｆｆという関数に中身を入れ、＄ｆｆを検索することで、未予約の席、部屋には「空」、予約された席、部屋には「済み」の表示がされる様にする事で、状況を提供する。
【０００８】  予約状況は、こちらのページにある専門のページにアクセスして確認してもらう。
【発明を実施するための最良の形態】
【０００９】  劇場の座席の予約の状況やホテルの部屋の予約の状況を座席一つ一つ、部屋一つ一つの予約状況が分かるような、グラフィック化されたホームページを提供、予約が入ったら、ホームページ上で、係りの人が、手動で、選択ボタンを押すことで未予約の席、部屋には「空」、予約された席、部屋には「済み」の表示がされ、確認専用のページ上で、予約状況確認が出来るようになる。【００１０】  図１は、発明の一部である。
【発明の効果】
【００１１】  インターネットで、予約状況の確認ができて、宣伝が必要かどうかの状況判断などに使用できる。
【図面の簡単な説明】
【図１】  本発明の一部。
【符号の説明】
１．席、場所、部屋
【図１】
2006018784.tif 000003
(57)【要約】【目的】カメラ等で撮影しコード化された情報を読み取らなくても、編成者が情報発信を行い、利用者が情報受信を行うことができる二次元バーコードを提供する。【構成】編成するモジュールが写真、イラスト等の画像である、もしくは色彩を有する任意数量のモジュールで二次元バーコード上に任意の形もしくはパターンを編成するものである。【選択図】  図１2006018782.tif 000003
2006018782.tif 000002
【特許請求の範囲】
【請求項１】
編成するモジュールが写真、イラスト等の画像であることを特徴とする二次元バーコード。
【請求項２】
色彩を有する任意数量のモジュールで二次元バーコード上に任意の形もしくはパターンを編成することを特徴とする二次元バーコード。
【発明の詳細な説明】
【発明の詳細な説明】
【技術分野】
【０００１】本発明は、二次元バーコードに関し、詳しくは編成するモジュールが写真、イラスト等の画像である、もしくは色彩を有する任意数量のモジュールで二次元バーコード上に任意の形もしくはパターンを編成することを特徴とする二次元バーコードに関する。
【背景技術】
【０００２】従来の二次元バーコードは黒もしくは単色のモジュールで編成されていた。
【発明が解決しようとする課題】
【０００３】ところが、このような二次元バーコードはカメラ等で撮影しコード化された情報を読み取った場合にのみ情報を伝達することができるが、二次元バーコードを視認することでは情報発信および受信の手段を持たなかった。
本発明はその欠点を除くために考えたものである。
【課題を解決するための手段】
【０００４】編成するモジュール（２）が写真、イラスト等の画像である、もしくは色彩を有する任意数量のモジュール（３１）（３２）で二次元バーコード上に任意の形もしくはパターン（４）を編成することを特徴とする二次元バーコード（１）である。
【作用】
【０００５】二次元バーコードをカメラ等で撮影しコード化された情報を読み取らなくても、編成するモジュール（２）にある画像、もしくは色彩を有する任意数量のモジュール（３１）（３２）で二次元バーコード（１）上に編成された任意の形もしくはパターン（４）を利用者が視認することで、編成者が情報発信を行い、利用者が情報受信を行うことができる。
【実施例】
【０００６】本発明を図面について説明すれば、
二次元バーコード（１）を編成するモジュール（２）が写真、イラスト等の画像である。二次元バーコード（１）を編成する色彩を有する任意数量のモジュール（３１）（３２）が任意の色彩を有し、任意の形（４）を編成する。
【発明の効果】
【０００７】二次元バーコードとしての機能を有しながら、カメラ等で撮影しコード化された情報を読み取らなくても、また、コード化された情報を読み取る機器を携帯していない場合にも二次元バーコード編成者が情報発信を行い、利用者が情報受信を行うことができる。
【図面の簡単な説明】
【図１】本発明の２次元バーコードの１形態例の写真、イラスト等の画像モジュール使用例を示す肉眼図、その要部の拡大図及びモジュールの肉眼図。
【図２】本発明の２次元バーコードの１形態例の色彩を有する任意数量のモジュールで任意の形を編成する使用例を示す肉眼図、その要部の拡大図。
【符号の説明】
１  二次元バーコード
２  画像情報を有するモジュール
３１  色彩を有するモジュール１
３２  色彩を有するモジュール２
４  任意の形
【図１】
2006018782.tif 000004
【図２】
2006018782.tif 000005
(57)【要約】【課題】キーボード収納方法は現在折りたたむ方法または別収納なので一つにまとめられるようにする。パソコンのキーボード1パソコンディスプレイ2またはテレビ画面2の足台6に内蔵収納できるように空間を作り着脱式に改良することで利便性とデザイン性を兼ね備え省スペース化すること。またインターネット接続機能付きテレビ（液晶・プラズマ）にも採用することによりパソコン画面が見辛い方にもＷＥＢ観覧その他コミュニケーションなどを容易にすること。【解決手段】キーボード1をパソコンディスプレイ2、本体一体型デスクトップパソコンディスプレイ2またはテレビ2の足台6の中に組み込める場所を収める場所を作り、手動または電動により着脱式で簡単かつ楽に取り出せるよう改良を加える。【選択図】図１
2006018789.tif 000002
【特許請求の範囲】
【請求項１】
キーボード1を収納できるように足台6の内部に空間を作り手動または電動で着脱できるパソコンディスプレイ
【請求項２】
キーボード1を収納できるように足台6の内部に空間を作り手動または電動で着脱できるインターネット接続機能付テレビ
【請求項３】
足台6の曲線をそのままアームレストとしての役割を果たすキーボード1を本発明に適用した装置
【発明の詳細な説明】
【技術分野】
【０００１】
本発明はパソコンを使用していないとき、または使用中でもキーボード1を使わない時にディスプレイ足台6の内部にキーボードを内蔵収納し省スペース化するコンピューターディスプレイとテレビに関するものである。
【背景技術】
【０００２】
ここ二、三年の間にパソコンにＴＶチューナー内蔵のものが主流になってきたこととテレビでインターネット接続も可能となり、以前のパソコンは操作することが主だったが今は観る・聴くのみでも利用できるようになった。  現在パソコン本体とディスプレイ・スピーカーを一体化させ省スペースを重視して作られたパソコンがあるがキーボードは折りたたむタイプであったり  ワイヤレスでも足台部分を高くしそこにできた空間にキーボードを入れる等別収納となっている。
【発明の開示】
【発明が解決しようとする課題】
【０００３】
解決しようとする問題点は省スペース化されたパソコンをより一層省スペース化すると同時にデザイン性もテレビ単体のようにすっきりしたものにすること。  またインターネット接続機能付き大画面テレビにキーボートを搭載するにより用途を広げる。
【０００４】
パソコンは音楽を聴いたり動画を観たりリモコンだけの操作でできる機能が増えつつありキーボードが不必要な時もある。そこで現在、キーボードは折りたたむ方式かワイヤレスでキーボードであっても使用者が収納したい場合は別に収納する必要があった。そこで本発明はキーボードと違和感無くディスプレイやテレビの足台6の内部に内臓収納する方法である。
【課題を解決するための手段】
【０００５】
本発明は置き型ディスプレイに必ずある足台6内部の前面部分にキーボードを収納する場所（空間）を作りそこへキーボード1を着脱する方法により省スペース化する。
【０００６】
着脱時の手段として手動時は特に説明を要さないが自動、半自動時には既知のビデオテープ着脱方式やMDの挿・脱方法等を採用できるため本発明ではその手段を特に限定することはしない。
【発明の効果】
【０００７】
本発明の収納は足台6にキーボードを入れるとキーボードの面積分が足台とほぼ同じになり安定感も得ることができる。
【０００８】
ディスプレイ画面足台6の内部に着脱方式でキーボード1を入れることより利便性と省スペース化、デザイン性を兼ね備えることができるのが特徴である。（実施例1図1）
【０００９】
熟年・お年寄りの方の中には「コンピューターは苦手」という意見をよく聞く。キーボードを着脱式にして収納すれば見た目がテレビのようになり「コンピューター」という概念が減り使ってみる気が起こるうる利点がある。字を大きくしても視野が狭くなることなく見やすい。
【００１０】
工場出荷時の梱包が簡略化できる。
【００１１】
インターネット接続機能付き大画面テレビに本発明を付属させることにより、省スペース化だけでなくパソコン画面が見づらい方にとってもＷＥＢ観覧等がしやすくなる。またコミュニケーションも可能となる。
【発明を実施するための最良の形態】
【００１２】
キーボード1はワイヤレスであるほうが望ましい。
【００１３】
ディスプレイ2と本体4が一体型になっているパソコンに採用すれば一層効果が得られる。
【００１４】
キーボード1着脱時の動作は手動・電動どちらを採用するにしても従来のビデオテープ挿入・取り出し方法やＭＤやカセットテープの挿脱方式のように一部分だけが出て全て出てこない従来の方法を採用するほうが望ましい。
【実施例１】
【００１５】
ディスプレイ2の足台6の中にキーボード1を収納した図である。また滑らかな曲線デザインの足台ならばキーボ−ド1のデザインと合わせアームレスト代わりに使用できる。アームレスト5がそのまま足台6の一部分なので収納時の外観はディスプレイ2またはテレビ画面単体に見える。（図１）
【産業上の利用可能性】
【００１６】
テレビ画面2（液晶・プラズマ等）でインターネット接続機能付もあるがテレビ本体やパソコンディスプレイ本体足台6の内部にワイヤレスキーボード1を収納できるようにすることにより、使用者の利便性とメーカー側のデザイン性の向上が図れる。
【図面の簡単な説明】
【００１７】
【図１】パソコンディスプレイ・テレビの足台にキーボードを着脱式収納にした図である。（実施例１）
【図２】図1の断面図である。
【符号の説明】
【００１８】
１    キーボード  ２    ディスプレイ（モニター）またはテレビ画面部分  ３    キーボード収納部分   ４    パソコン本体  ５    アームレスト  アームレストは足台6の一部分でもある  ６    足台
【図１】
2006018789.tif 000003
【図２】
2006018789.tif 000004
(57)【要約】【課題】死の瞬間体重が減少しその分のエネルギーが消えるが宇宙の総エネルギーは一定であるのでそのエネルギーを追い交信を物理学的に試みさらに古代からの故人のそれを分析しサイボーグによって生き返りを試みる。【解決手段】死後のエネルギーを１１次元宇宙に追い重力子（グラビトン）とみなし解釈し重力波の周波数をその重力子と合わせることで故人の誰のものか分析しサイボーグ内にその意識エネルギーを誘導し固定することで故人意識生き返りを可能とする。【特許請求の範囲】
【請求項１】
（イ）死の瞬間、体重が減少する分その減少したものが１グラムならば１０の１４乗ジュールのエネルギー発生となり物理学理論では宇宙の総エネルギーは一定であるから宇宙のどこかにそのエネルギーは行くことになる。
（ロ）それは１次元から６次元分の丸め込まれたプランクスケールに行くことから１１次元宇宙論を用いればそれは１次元から６次元を通過できる重力子（グラビトン）と解釈する。
（ハ）さらに意識する主体は脳波がフラットでも存続することが可能なことは臨死体験の例から判っているところから重力子が意識する主体と同じものであると解釈できる。
（ニ）この意識する主体の重力子と交信するには１１次元宇宙を通過できる重力波でこの重力子と同調する重力波の周波数を合わせて行う。
（ホ）さらに古代からの故人の意識する主体の重力子を宇宙もしくは１１次元宇宙（１次元から６次元を含む）から重力波によって故人の誰のものかその周波数で分析しそれをサイボーグ内に誘導し生きていたころと同じ人間同様のことができるようにする。
以上の如く論理で導かれる故人意識生き返り装置。
【発明の詳細な説明】
【技術分野】
【０００１】  本発明は、死の瞬間体重が減少する分のエネルギーとの物理学的にそれを故人の誰のものか分析交信しサイボーグ内に誘導し故人意識生き返りに関する。
【背景技術】
【０００２】  従来、死の後のエネルギーを追い交信する技術はなかったが最近アメリカでは死後体重が減る研究がなされ日本でもそれの物理学的理論が本やテレビで紹介された。（例えば非特許文献１参照。）。【０００３】
【非特許文献１】  「アミターバ」新潮社、２００３年、６４頁から７２頁
【非特許文献２】  「死んだらどうなるの？」２００５年ちくまプリマー新書、８０頁から８３頁
【発明の開示】
【発明が解決しようとする課題】
【０００４】  従来、死後発生のエネルギーとの交信しそれを誰のものが分析し生き返りをする技術はなかった。
【課題を解決するための手段】
【０００５】  死の瞬間体重が減少するエネルギー分を重力子という意識する主体と解釈しそれが行く１１次元宇宙に重力波で追い重力波の周波数を重力子と合わせることで交信し誰のものか分析し古代からの故人の意識を各サイボーグ内に固定し人間同様にし生き返り可能とする。
【発明の効果】
【０００６】  物理学的に死後発生するエネルギーとの交信分析し各故人の意識をサイボーグ内で復活させ人間同様の思考や行動を可能とした。
【発明を実施するための最良の形態】
【０００７】    以下、本発明の実施例について時系列的論理的に文章で説明する。死の瞬間体重が減少する分その減少したものが１グラムならば１０の１４乗ジュールのエネルギー発生となり物理学理論では宇宙の総エネルギーは一定であるから宇宙のどこかにそのエネルギーは行くことになる。それは１次元から６次元分の丸め込まれたプランクスケール行くことから１１次元宇宙論を用いればそれは１次元から６次元を通過できる重力子（グラビトン）と解釈する。さらに意識する主体は脳波がフラットでも存続することが可能なことは臨死体験の例から判っているところから重力子が意識する主体と同じものであると解釈できる。この意識する主体の重力子と交信するには１１次元宇宙を通過できる重力波でこの重力子と同調する重力波の周波数を合わせて行う。さらに古代からの故人の意識エネルギーを１１次元宇宙から故人の誰のものか重力波の周波数で分析し各々を各サイボーグ内にその意識を固定するために誘導し人間同様の思考行動可能とした故人意識生き返り装置。